(57)【要約】      （修正有）【課題】ロック及びロック解除が簡単な超薄型コネクタを提供する。【解決手段】端子１６と、ハウジング１２と、絶縁体１４と、を備えている。ハウジングは折り曲げ部を介して第二本体が枢着されている第一本体を含む。第一本体は第一係止部及びストッパーをさらに備えている。第二本体はロック部材と、作動力部と、第二係止部と、をさらに含む。第一係止部は第二係止部に対応するように設けられて相互に干渉可能となっている。ロック部材はフレキシブルケーブルを収容空間にロックするために用いられている。作動力部が外力を受けると、フレキシブルケーブルへのロックを解除するようにロック部材を駆動する。絶縁体は第三本体と、孔部と、位置限定壁とで構成されている。ロック部材は孔部を貫通してフレキシブルケーブルに係合している。作動力部に外力が付勢されると、位置限定壁が作動力部が継続して作動しないように停止させる。【選択図】図１
0003233943.tif 000002
【実用新案登録請求の範囲】
【請求項１】
プリント回路基板及びフレキシブルケーブルに接続するためのロック及びロック解除が簡単な超薄型コネクタであって、
前記プリント回路基板及び前記フレキシブルケーブルに接続するための端子と、
第一本体、第二本体、及び折り曲げ部を有しているハウジングであって、前記ハウジングには収容空間が形成され、前記第一本体には前記折り曲げ部を介して前記第二本体が枢着され、前記第一本体は複数の第一係止部及び複数のストッパーをさらに含み、前記第二本体は複数のロック部材と、複数の作動力部と、複数の第二係止部と、をさらに具備し、各これら前記第一係止部は各これら前記第二係止部に対応するように設けられて相互に干渉し、これら前記ロック部材は前記フレキシブルケーブルを前記収容空間にロックするために用いられ、これら前記作動力部はこれら前記ロック部材に隣接するように設けられ、これら前記作動力部が外力を受けると、前記フレキシブルケーブルへのロックを解除するようにこれら前記ロック部材を駆動させるハウジングと、
これら前記ストッパーを介して前記収容空間に設置されている絶縁体であって、前記絶縁体は第三本体、複数の孔部、及び複数の位置限定壁を有し、各これら前記孔部は各これら前記ロック部材に対応するように設けられ、各これら前記ロック部材は各これら前記孔部を貫通して前記フレキシブルケーブルに係合し、各これら前記位置限定壁は各これら前記作動力部に対応するように設置され、各これら前記作動力部に前記外力が付勢されると、前記各これら前記位置限定壁が各これら前記作動力部を停止させる絶縁体と、を備えていることを特徴とするロック及びロック解除が簡単な超薄型コネクタ。
【請求項２】
各これら前記ロック部材は作動部と、フックアームと、フック部と、をさらに備え、前記作動部は前記作動力部に接続され、前記フックアームは前記フック部及び前記作動部に接続され、且つ前記作動部と前記フックアームとの間には高度差を有していることを特徴とする請求項１に記載のロック及びロック解除が簡単な超薄型コネクタ。
【請求項３】
前記作動部と前記フックアームとの間には斜面が形成され、前記絶縁体は複数の凹部をさらに備え、前記斜面は各これら前記凹部に対応するように設けられ、前記作動部及び前記フックアームの変形を収容するために用いられていることを特徴とする請求項２に記載のロック及びロック解除が簡単な超薄型コネクタ。
【請求項４】
前記フック部が前記外力を受けると、前記収容空間の方向に移動させるように各これら前記作動力部を駆動させることを特徴とする請求項２に記載のロック及びロック解除が簡単な超薄型コネクタ。
【請求項５】
前記第二本体は複数の位置決め切り欠けをさらに備え、前記絶縁体は複数の位置決めブロックをさらに含み、これら前記位置決め切り欠けはこれら前記位置決めブロックに対応するように設けられ、前記絶縁体が前記収容空間に位置していることを特徴とする請求項１に記載のロック及びロック解除が簡単な超薄型コネクタ。
【考案の詳細な説明】
【技術分野】
【０００１】
本考案は、コネクタの分野に関し、詳しくは、ロック及びロック解除が簡単な超薄型コネクタ（An ultra-thin easy-lock and easy-unlock connector）に関する。
【背景技術】
【０００２】
従来の自動ラッチコネクタは、自動ラッチ構造の設計のため、厚さを効果的に薄くすることができず、薄型ノートパソコンのような薄型化が必要な場面では有効的に使用できなかった。
【０００３】
そこで、本考案者は上記の欠点が改善可能と考え、鋭意検討を重ねた結果、合理的設計で上記の課題を効果的に改善する本考案の提案に至った。
本考案により、従来のコネクタに起因する問題或いは従来のコネクタが解決できなかった問題を解決する。
【考案の概要】
【考案が解決しようとする課題】
【０００４】
本考案は、上記問題点に鑑みて本発明者の鋭意研究により成されたものである。本考案の第一の目的は、プリント回路基板及びフレキシブルケーブルに接続可能であり、自動ロック及び手動ロック解除の目的を達成するロック及びロック解除が簡単な超薄型コネクタを提供する。
【０００５】
本考案の第二の目的は、上述のロック及びロック解除が簡単な超薄型コネクタに基づいて、第一本体、第二本体、及び折り曲げ部により薄型化された一体成形されているハウジングを構成する。
【０００６】
本考案の第三の目的は、上述のロック及びロック解除が簡単な超薄型コネクタに基づいて、第一係止部及び第二係止部が相互に干渉することによりフレキシブルケーブルを収容する目的を達成する。
【０００７】
本考案の第四の目的は、上述のロック及びロック解除が簡単な超薄型コネクタに基づいて、フック部が外力を受けることで収容空間から離れる方向に移動するように作動力部を駆動させ、ロック解除の目的を達成する。
【０００８】
本考案の第五の目的は、上述のロック及びロック解除が簡単な超薄型コネクタに基づいて、フック部によりフレキシブルケーブルを自動ロックする目的を達成する。
【０００９】
本考案の第六の目的は、上述のロック及びロック解除が簡単な超薄型コネクタに基づいて、ロック部材が作動部と、フックアームと、フック部と、を備え、フックアームと作動部との間に高度差を有し、且つフックアームと作動部との間に選択的に斜面を提供する。
【００１０】
本考案の第七の目的は、上述のロック及びロック解除が簡単な超薄型コネクタに基づいて、ロック部材が下向きに係合する方式によりフレキシブルケーブルの係合溝に係合することにより、フレキシブルケーブルを収容空間にロックする目的を達成する。
【００１１】
本考案の第八の目的は、上述のロック及びロック解除が簡単な超薄型コネクタに基づいて、強化部を第二本体に形成すると共に作動力部に隣接させることで、作動力部の押圧強度を高める。
【００１２】
本考案の第九の目的は、上述のロック及びロック解除が簡単な超薄型コネクタに基づいて、第二本体が複数の位置決め切り欠けをさらに備え、絶縁体が複数の位置決めブロックをさらに含み、これら前記位置決め切り欠けをこれら前記位置決めブロックに対応するように設けることで、絶縁体を収容空間に位置決めする。
【課題を解決するための手段】
【００１３】
上述した課題を解決し、目的を達成するために、本考案のロック及びロック解除が簡単な超薄型コネクタは、プリント回路基板及びフレキシブルケーブルに接続可能である。ロック及びロック解除が簡単な超薄型コネクタは端子と、ハウジングと、絶縁体と、を備えている。端子はプリント回路基板及びフレキシブルケーブルに接続可能である。ハウジングは第一本体と、第二本体と、折り曲げ部と、を含む。ハウジングには収容空間が形成されている。第一本体には折り曲げ部を介して第二本体が枢着されている。第一本体は複数の第一係止部及び複数のストッパーをさらに備えている。第二本体は複数のロック部材と、複数の作動力部と、複数の第二係止部と、をさらに含む。各これら前記第一係止部は各これら前記第二係止部に対応するように設けられて相互に干渉可能となっている。これら前記ロック部材はフレキシブルケーブルを収容空間にロックする。これら前記作動力部はこれら前記ロック部材に隣接するように設置されている。これら前記作動力部が外力を受けると、前記フレキシブルケーブルへのロックを解除するようにこれら前記ロック部材を駆動させる。絶縁体はこれら前記ストッパーにより収容空間に設置されている。前記絶縁体は第三本体と、複数の孔部と、複数の位置限定壁とで構成されている。各これら前記孔部は各これら前記ロック部材に対応するように設けられている。各これら前記ロック部材は各これら前記孔部を貫通して前記フレキシブルケーブルに係合する。各これら前記位置限定壁は各これら前記作動力部に対応するように設置されている。各これら前記作動力部に外力が付勢されると、各これら前記位置限定壁が各これら前記作動力部を停止させる。
【考案の効果】
【００１４】
従来のコネクタと比較すると、本考案に係るロック及びロック解除が簡単な超薄型コネクタは、一体成形されるハウジング及びロック部材に絶縁体を結合することで、コネクタの薄型化を実現し、且つコネクタが自動ロック及び手動ロック解除機能を有している。
【図面の簡単な説明】
【００１５】
【図１】本考案の第１実施例に係るロック及びロック解除が簡単な超薄型コネクタを模式的に示した傾斜図である。
【図２ａ】図１に示すハウジングを示す斜視図である。
【図２ｂ】図１に示すハウジングを示す上面図である。
【図２ｃ】図２ｂに示すハウジングのＡ−Ａ‘線に沿う断面図である。
【図３】本考案の絶縁体を示す上面図である。
【図４】本考案のハウジングと絶縁体を模式的に示した組み合わせ図である。
【図５ａ】図１に示すロック及びロック解除が簡単な超薄型コネクタがフレキシブルケーブルを組み合わせる上面図である。を示した断面図である。
【図５ｂ】図５ａに示すロック及びロック解除が簡単な超薄型コネクタがフレキシブルケーブルを組み合わせるB−B‘線に沿う断面図である。
【図６】本考案のロック及びロック解除が簡単な超薄型コネクタの実施形態を例示する概略図である。
【考案を実施するための形態】
【００１６】
以下、本考案の実施形態について図面を用いて説明する。なお、本考案は、下記の実施形態に何ら限定されることはなく、本考案の技術的範囲に属する限り種々の形態を採りうる。
【００１７】
本明細書において、「１」または「１つ」という用語を使用して本文の単位、部材、及び組立部材を説明している。これは説明を分かりやすくするためにすぎず、本考案の範疇について一般的な意義を提供している。よって、他の意味が明示されていない限り、このような描写は１つ及び少なくとも１つという意味を含み、且つ単数と同時に複数も含むと理解すべきである。
【００１８】
なお、本明細書において、「備える」、「含む」、「有している」、「含有している」、或いは他の類似するあらゆる用語は被排他的に包括する物品を含む。一例を挙げると、複数の要素を含む部材、構造、製品、または装置が本文に列挙された要素に限られず、明確に列挙されていないが前記部材、構造、製品、または装置が通常固有の他の要素であるものも含まれる。このほか、明確に反対の説明がなされていない限り、「或いは」という用語 は包括的な「或いは」という意義を指し、排他的な「或いは」ではない。
【００１９】
図１は本考案の第１実施例に係るロック及びロック解除が簡単な超薄型コネクタを模式的に示した傾斜図である。図１において、ロック及びロック解除が簡単な超薄型コネクタ１０は図６に示すプリント回路基板４及びフレキシブルケーブル２に接続可能であり、図６は本考案のロック及びロック解除が簡単な超薄型コネクタの実施形態を例示する概略図である。
【００２０】
図１を参照すれば、ロック及びロック解除が簡単な超薄型コネクタ１０は、ハウジング１２と、絶縁体１４と、端子１６と、を備えている。
【００２１】
端子１６の一端はプリント回路基板４に接続可能であり、端子１６の他端はフレキシブルケーブル２に接続可能である。
【００２２】
図２ａは図１に示すハウジングを示す斜視図である。図２ｂは図１に示すハウジングを示す上面図である。図２ｃは図２ｂに示すハウジングのＡ−Ａ‘線に沿う断面図である。
【００２３】
ハウジング１２は第一本体１２２と、第二本体１２４と、折り曲げ部１２６と、を備えている。ハウジング１２には収容空間ＳＰが形成されている。第一本体１２２には折り曲げ部１２６を介して第二本体１２４が枢着されている。
【００２４】
第一本体１２２は第一係止部１２２２及びストッパー１２２４をさらに備えている。第一係止部１２２２は第一本体１２２の外部の両側に形成され、ストッパー１２２４は第一本体１２２の内部の両側に形成されている。
【００２５】
第二本体１２４はロック部材１２４２と、作動力部１２４４と、第二係止部１２４８と、をさらに備えている。
【００２６】
第二係止部１２２４が第一係止部１２２２に対応するように設けられて相互に干渉することにより、第一本体１２２が第二本体１２４に結合する。本実施例において、第一係止部１２２２がバンプであり、ストッパー１２２４が延伸部材であるものを例として説明する。
【００２７】
ロック部材１２４２はフレキシブルケーブル２を収容空間ＳＰにロックする。本実施例において、ロック部材１２４２は第二本体１２４から欠設されて第二本体１２４に懸装されている。ロック部材１２４２は作動部１２４２２と、フックアーム１２４２４と、フック部１２４２６と、をさらに備えている。作動部１２４２２は作動力部１２４４に接続されている。フックアーム１２４２６はフック部１２４２６及び作動部１２４２２に接続されている。また、図５ａは図１に示すロック及びロック解除が簡単な超薄型コネクタがフレキシブルケーブルを組み合わせる上面図である。図５ｂは図５ａに示すロック及びロック解除が簡単な超薄型コネクタがフレキシブルケーブルを組み合わせるB−B‘線に沿う断面図である。フレキシブルケーブル２を収容空間ＳＰに挿入した後、フック部１２４２６がフレキシブルケーブル２による押動を受けて持ち上げられ、フック部１２４２６がフレキシブルケーブル２の係合溝２２に係入され（図５（ａ）参照）、フック部１２４２６が係合溝２２に干渉し、フレキシブルケーブル２が収容空間ＳＰから退出不能となる。反対に、外力Ｆにより作動力部１２４４が押圧されると、作動力部１２４４が作動部１２４２２を駆動し、且つ作動部１２４２２がフックアーム１２４２４によりフック部１２４２６を持ち上げ、フック部１２４２６が収容空間ＳＰから脱離する方向に移動し、フック部１２４２６が係合溝２２から脱離してロック解除の目的を達成する。ちなみに、作動部１２４２２とフックアーム１２４２４との間には高度差を有し、他の実施例では、作動部１２４２２とフックアーム１２４２４との間に斜面が形成され、後述する絶縁体１４の凹部１４６に対応している。斜面は凹部１４６に対応するように設置され、作動部１２４２２及びフックアーム１２４２４の変形を収容する。
【００２８】
作動力部１２４４はロック部材１２４２に隣接するように設置され、作動力部１２４２が外力Ｆを受けると、フレキシブルケーブル２へのロックを解除するようにロック部材１２４２を駆動する。
【００２９】
他の実施例において、第二本体１２４は作動力部１２４４に隣接するように形成されている強化部１２４６をさらに備えている。ここでは、強化部１２４６は収容空間ＳＰに向けて突出している。
【００３０】
また、他の実施例において、第一本体１２２は第一本体１２２の側面に形成されている第一溶接部１２２６をさらに備え、第一溶接部１２２６はプリント回路基板４の溶接点４２に設置可能である（例えば、溶接）。第二本体１２４は第二本体１２４の側面に形成されている第二溶接部１２４１２をさらに備えている。第二溶接部１２４１２はプリント回路基板４の他の溶接点４２に設置可能である。
【００３１】
また、図３は本考案の絶縁体を示す上面図である。図３において、絶縁体１４はハウジング１２のストッパー１２２４により収容空間ＳＰに設置され、その組み合わせ図を図４と共に参照し、本考案のハウジング及び絶縁体の組み合わせ図について説明する。
【００３２】
絶縁体１４は第三本体１４２と、孔部１４４と、位置限定壁１４１０と、を備えている。孔部１４４はロック部材１２４２に対応するように設けられ、ロック部材１２４２が孔部１４４を貫通してフレキシブルケーブル２に係合する。また、位置限定壁１４１０は作動力部１２４４に対応するように設置されている。作動力部１２４４に外力Ｆが付勢されると、作動部１２４２２を作動するように駆動し、作動力部１２４４が位置限定壁１４１０により作動を停止されることにより、操作者が過度な力を付勢してロック及びロック解除が簡単な超薄型コネクタの構造を破壊することを回避している。
【００３３】
また、他の実施例において、絶縁体１４は位置決めブロック１４８をさらに備え、第二本体１２４は位置決め切り欠け１２４１０をさらに含む。位置決め切り欠け１２４１０は位置決めブロック１４８に対応するように設けられ、絶縁体１４を収容空間ＳＰに位置決めしている。
【００３４】
上記の実施形態は、本考案の理解を容易にするためのものであり、本考案を限定して解釈するためのものではない。本考案は、その趣旨を逸脱することなく、変更、改良され得ると共に、本考案にはその等価物が含まれることは言うまでもない。
【符号の説明】
【００３５】
２  フレキシブルケーブル
２２  係合溝
４  プリント回路基板
４２  溶接点
１２  ハウジング
１２２  第一本体
１２２２  第一係止部
１２２４  ストッパー
１２２６  第一溶接部
１２４  第二本体
１２４２  ロック部材
１２４２２  作動部
１２４２４  フックアーム
１２４２６  フック部
１２４４  作動力部
１２４６  強化部
１２４８  第二係止部
１２４１０  位置決め切り欠け
１２４１２  第二溶接部
１２６  折り曲げ部
１４  絶縁体
１４２  第三本体
１４４  孔部
１４６  凹部
１４８  位置決めブロック
１４１０  位置限定壁
１６  端子
Ｆ  外力
ＳＰ  収容空間
【図１】
0003233943.tif 000003
【図２（ａ）】
0003233943.tif 000004
【図２（ｂ）】
0003233943.tif 000005
【図２（ｃ）】
0003233943.tif 000006
【図３】
0003233943.tif 000007
【図４】
0003233943.tif 000008
【図５（ａ）】
0003233943.tif 000009
【図５（ｂ）】
0003233943.tif 000010
【図６】
0003233943.tif 000011